(57)【要約】【課題】コンテンツを視聴可能な記録媒体再生装置を限定でき、記録媒体の装着されている記録媒体再生装置と別の記録媒体再生装置において記録媒体の再生が可能な記録媒体再生装置を提供する。【解決手段】ＩＰリスト５００およびＩＰリスト３００により記録媒体再生装置１および記録媒体再生装置２間の認証をして、ディスク情報５０１およびディスク情報４０１により記録媒体４の再生に関する認証をしたため、記録媒体４を装着していない機器である記録媒体再生装置２においても、コンテンツを視聴可能な記録媒体再生装置を限定してコンテンツ情報４００の再生が可能となる。【選択図】図１
2008134768.tif 000002
【特許請求の範囲】
【請求項１】
記録媒体のコンテンツ情報およびディスク再生情報を読み取る記録媒体読取部と、
外部と通信可能な通信部と、
前記通信部を介して外部から接続要求があった場合に接続を認証し、前記外部と接続して前記記録媒体の再生を認証する認証部とを有し、
前記通信部は、前記認証部が前記接続の認証と前記再生の認証をした場合、前記コンテンツ情報を前記外部に送信することを特徴とする記録媒体再生装置。
【請求項２】
前記認証部は、前記外部から前記接続要求があった場合に、外部サーバからＩＰリストを受信して、接続要求元である前記外部のＩＰ情報と照合することにより前記接続を認証することを特徴とする請求項１に記載の記録媒体再生装置。
【請求項３】
前記認証部は、前記外部からディスク再生情報を受信して前記記録媒体のディスク再生情報と照合することにより前記記録媒体の再生を認証することを特徴とする請求項１に記載の記録媒体再生装置。
【請求項４】
前記記録媒体は、ＨＤ  ＤＶＤであることを特徴とする請求項１に記載の記録媒体再生装置。
【請求項５】
ＩＰリストとディスク再生情報を有した外部のメモリキーを接続可能な入力部と、
外部と通信可能な通信部と、
前記入力部に接続された前記メモリキー内のＩＰリストに基づいて前記通信部を介して外部と通信し、接続要求および前記ディスク再生情報を送信して認証を要求する認証部とを有し、
前記通信部は、前記認証が受け入れられた場合、前記外部からコンテンツ情報を受信することを特徴とする記録媒体再生装置。
【請求項６】
前記認証部は、前記接続要求が受け入れられた後に、前記入力部に接続された前記メモリキー内の前記ディスク再生情報を送信して認証を要求することを特徴とする請求項５に記載の記録媒体再生装置。
【請求項７】
前記入力部は、前記メモリキーとして前記ディスク再生情報としてＨＤ  ＤＶＤの再生を認証する鍵情報を有するメモリキーを接続することを特徴とする請求項５に記載の記録媒体再生装置。
【請求項８】
記録媒体のコンテンツ情報およびディスク再生情報を読み取る記録媒体読取部と、
ＩＰリストとディスク再生情報を有し挿抜可能なメモリキーを接続可能な入力部と、
外部と通信可能な通信部と、
前記通信部を介し、外部との接続および、前記記録媒体の前記外部への再生を認証する認証部とを有することを特徴とする記録媒体再生装置。
【請求項９】
前記認証部は、前記外部から前記接続要求があった場合に、前記入力部に接続された前記メモリキーから前記ＩＰリストを受信して、接続要求元である前記外部のＩＰ情報と照合することにより前記接続を認証することを特徴とする請求項８に記載の記録媒体再生装置。
【請求項１０】
前記認証部は、前記外部からディスク再生情報を受信して前記記録媒体のディスク再生情報と照合することにより前記記録媒体の再生を認証することを特徴とする請求項８に記載の記録媒体再生装置。
【発明の詳細な説明】
【技術分野】
【０００１】
本発明は、記録媒体再生装置に関し、特にコンテンツを視聴可能な記録媒体再生装置を限定でき、記録媒体の装着されている記録媒体再生装置と別の記録媒体再生装置において記録媒体の再生が可能な記録媒体再生装置に関する。
【背景技術】
【０００２】
従来の技術として、記録媒体再生装置のＩＤを記録媒体およびメモリキーに記録し、それらのＩＤを認証して再生する記録媒体再生装置がある（例えば、特許文献１参照）。
【０００３】
この記録媒体再生装置は、挿抜自在のメモリキーが有するＩＤをＩＤ情報管理部において認識し、コンテンツが記録されている記録媒体が有するＩＤと認証して、それらのＩＤが一致した場合にコンテンツの再生を許可する。また、この記録媒体再生装置は、再生しようとする記録媒体が有するＩＤが、ローカルエリアのネットワークで接続された他の記録媒体再生装置に装着されているメモリキーが有するＩＤと一致する場合にも、記録媒体が装着された記録媒体再生装置において再生を許可する。このような記録媒体再生装置によれば、記録媒体の再生にはＩＤの一致するメモリーキーが必要となるが、メモリーキーはローカルエリアのネットワーク内のいずれかの記録媒体再生装置に装着されていれば良いため、コンテンツを視聴可能な機器を限定すると同時に、コンテンツの可搬性および利便性を高めることができる。
【特許文献１】特開２００５−１８８２７号公報
【発明の開示】
【発明が解決しようとする課題】
【０００４】
しかし、従来の記録媒体再生装置によると、記録媒体を再生することができるのは記録媒体が装着された記録媒体再生装置のみであり、他の記録媒体再生装置へ再生信号を出力することができない。また、例えば、記録媒体再生装置が他の記録媒体再生装置へ再生信号を出力する機能を有しているとすると、ローカルエリアのネットワークに当該再生信号が送信された場合には、当該ローカルエリアネットワークに接続されている第３の記録媒体再生装置によって再生信号を再生できるようになり、不都合が生じる。つまり、他の記録媒体再生装置へ再生信号を出力する機能を追加したとしても、コンテンツを視聴可能な記録媒体再生装置を限定できるとは限らない。
【０００５】
従って、本発明の目的は、コンテンツを視聴可能な記録媒体再生装置を限定でき、記録媒体の装着されている記録媒体再生装置と別の記録媒体再生装置において記録媒体の再生が可能な記録媒体再生装置を提供することにある。
【課題を解決するための手段】
【０００６】
（１）本発明は上記目的を達成するため、記録媒体のコンテンツ情報およびディスク再生情報を読み取る記録媒体読取部と、外部と通信可能な通信部と、前記通信部を介して外部から接続要求があった場合に接続を認証し、前記外部と接続して前記記録媒体の再生を認証する認証部とを有し、前記通信部は、前記認証部が前記接続の認証と前記再生の認証をした場合、前記コンテンツ情報を前記外部に送信することを特徴とする記録媒体再生装置を提供する。
【０００７】
このような構成によれば、まず外部との接続を認証し、次にコンテンツ情報の再生を認証するため、再生信号を送信する記録媒体再生装置を限定して、記録媒体を装着した記録媒体再生装置から他の記録媒体再生装置に再生信号を送信できる。
【０００８】
（２）また、本発明は上記目的を達成するため、ＩＰリストとディスク再生情報を有した外部のメモリキーを接続可能な入力部と、外部と通信可能な通信部と、前記入力部に接続された前記メモリキー内のＩＰリストに基づいて前記通信部を介して外部と通信し、接続要求および前記ディスク再生情報を送信して認証を要求する認証部とを有し、前記通信部は、前記認証が受け入れられた場合、前記外部からコンテンツ情報を受信することを特徴とする記録媒体再生装置を提供する。
【０００９】
このような構成によれば、ＩＰリストを用いて接続可能な記録媒体再生装置に接続要求を送信するため、他の記録媒体再生装置と認証された接続が可能となり、また、ディスク再生情報を用いて再生可能な記録媒体の再生信号要求を送信するため、認証された記録媒体のみ再生信号を受信できる。
【００１０】
（３）また、本発明は上記目的を達成するため、記録媒体のコンテンツ情報およびディスク再生情報を読み取る記録媒体読取部と、ＩＰリストとディスク再生情報を有し挿抜可能なメモリキーを接続可能な入力部と、外部と通信可能な通信部と、前記通信部を介し、外部との接続および、前記記録媒体の前記外部への再生を認証する認証部とを有することを特徴とする記録媒体再生装置を提供する。
【００１１】
このような構成によれば、（１）および（２）の機能を併せ持った記録媒体再生装置が達成できる。
【発明の効果】
【００１２】
本発明によれば、コンテンツおよび記録媒体再生装置を限定してコンテンツの再生ができる。
【発明を実施するための最良の形態】
【００１３】
以下に、本発明の記録媒体再生装置の実施の形態を、図面を参照して詳細に説明する。
【００１４】
〔第１の実施の形態〕
（ネットワークの構成）
図１は、本発明の第１の実施の形態に関する記録媒体再生装置を含むネットワークの構成を示す概略図である。
【００１５】
記録媒体再生装置１は、ネットワーク１０００に接続され、ネットワーク１０００を介して記録媒体再生装置１と同様の構成および機能を有する記録媒体再生装置２と、記録媒体再生装置１が接続可能な機器のＩＰアドレスが記載されたＩＰリスト３００と記録媒体４の再生情報に関連したディスク関連情報３０１とを記憶部に保有するサーバ３とに接続されている。
【００１６】
記録媒体再生装置１は、本体内部にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を有し、ＨＤ  ＤＶＤ等の記録媒体４を取り込んでコンテンツ情報４００を再生可能で、コンテンツ情報４００としての音声情報や動画情報を再生する。また、記録媒体再生装置１は、再生した音声情報の付随情報や動画情報を表示出力するモニタ１Ａと接続されており、音声情報や動画情報および各種設定を操作実行するための複数のスイッチからなる図示しない操作部を有する。記録媒体４は、コンテンツ情報４００と、コンテンツ情報４００を再生するための解読情報、例えばＭＫＢ（Ｍｅｄｉａ  Ｋｅｙ  Ｂｌｏｃｋ）ファイル等に代表されるディスク再生情報４０１とを有する。
【００１７】
記録媒体再生装置２は、記録媒体再生装置２と同様の構成および機能を有しており、再生した音声情報の付随情報や動画情報を表示出力するモニタ２Ａと、挿抜可能なメモリキー５を装着している。メモリキー５は、例えば接続にＵＳＢ（Ｕｎｉｖｅｒｓａｌ  Ｓｅｒｉａｌ  Ｂｕｓ）を使用したフラッシュメモリ等であり、記録媒体再生装置２が接続可能な機器のＩＰアドレスが記載されたＩＰリスト５００と、記録媒体の情報を再生するための解読情報であるディスク再生情報５０１とを有する。
【００１８】
サーバ３は、本体内部にＣＰＵやＨＤＤ等の電子部品を有し、記憶部としてのＨＤＤにＩＰリスト３００とディスク関連情報３０１とを保有する。ＩＰリスト３００は、要求に応じて記録媒体再生装置１に送信され、ディスク関連情報３０１は、記録媒体４のコンテンツ情報４００の要求に応じて記録媒体再生装置１に送信される。
【００１９】
（記録媒体再生装置の構成）
図２（ａ）および（ｂ）は、本発明の第１の実施の形態に関する記録媒体再生装置の構成を示すブロック図である。
【００２０】
図２（ａ）に示すように、記録媒体再生装置１は、外部と通信して情報を取得する通信部１０と、音声情報を出力する音声出力部１１と、モニタ１Ａに画像表示に関する映像信号を出力する表示出力部１２と、外部機器と接続するためのハブや操作のための複数のスイッチ群からなる操作部等を有する入力部１３と、記録媒体４を取り込んで情報を再生可能な記録媒体読取部１４と、情報を読み書き自在に記録する記憶部１５と、情報処理の際に一時的に情報を記憶するメモリ１６と、記録媒体再生装置１の各部を制御する制御部１７と、記録媒体再生装置１の各部を接続するバス１８とを有する。
【００２１】
制御部１７は、外部機器との接続のための認証、および記録媒体の再生のための認証を行うソフトウェアとしての認証部１７０を実行する。
【００２２】
図２（ｂ）に示すように、記録媒体再生装置２は、外部と通信して情報を取得する通信部２０と、音声情報を出力する音声出力部２１と、モニタ２Ａに画像表示に関する映像信号を出力する表示出力部２２と、外部機器と接続するためのハブや操作のための複数のスイッチ群からなる操作部等を有する入力部２３と、記録媒体を取り込んで情報を再生可能な記録媒体読取部２４と、情報を読み書き自在に記録する記憶部２５と、情報処理の際に一時的に情報を記憶するメモリ２６と、記録媒体再生装置２の各部を制御する制御部２７と、記録媒体再生装置２の各部を接続するバス２８とを有する。
【００２３】
入力部２３のハブ、例えばＵＳＢハブには、メモリキー５が装着されており、記録媒体再生装置２は、メモリキー５内の情報にアクセスすることができる。
【００２４】
制御部２７は、外部機器との接続のための認証、および記録媒体の再生のための認証を行うソフトウェアとしての認証部２７０を実行する。
【００２５】
（サーバの構成）
図３は、本発明の第１の実施の形態に関するサーバの構成を示すブロック図である。
【００２６】
サーバ３は、外部と通信して情報を取得する通信部３０と、外部機器と接続するためのハブや操作のための複数のスイッチ群からなる操作部等を有する入力部３１と、情報を読み書き自在に記録する記憶部３２と、情報処理の際に一時的に情報を記憶するメモリ３３と、サーバ３の各部を制御する制御部３４と、サーバ３の各部を接続するバス３５とを有する。記憶部３２は、ＩＰリストおよびディスク関連情報３０１を保持する。
【００２７】
図４（ａ）および（ｂ）は、本発明の第１の実施の形態に関するメモリキーおよびサーバが有するＩＰリストの具体例を示す概略図である。
【００２８】
図４（ａ）に示すように、メモリキー５は、ＩＰリスト５００として、記録媒体再生装置の名称とＩＰアドレスが対になったチャートを有している。メモリキー５が接続された記録媒体再生装置は、記録媒体再生装置１、記録媒体再生装置２、および記録媒体再生装置３…、に接続が可能となる。
【００２９】
図４（ｂ）に示すように、サーバ３は、ＩＰリスト３００として、記録媒体再生装置の名称とＩＰアドレスが対になったチャートを有している。記録媒体再生装置１は、接続要求を受けるとＩＰリスト３００を受信して、記録媒体再生装置１、記録媒体再生装置２、および記録媒体再生装置５…、からの接続要求であれば接続を認証する。つまり、ＩＰリスト５００とＩＰリスト３００とを用いた接続について、記録媒体再生装置１および記録媒体再生装置２の接続は認証されて可能だが、記録媒体再生装置３および記録媒体再生装置５の接続は認証されず不可能である。
【００３０】
（第１の実施の形態の動作）
図５は、本発明の第１の実施の形態に関する記録媒体再生装置の動作を示すフローチャートである。
【００３１】
図５は、図１における記録媒体再生装置１の動作を示す。まず、記録媒体再生装置１に、記録媒体４としてのＨＤ  ＤＶＤを挿入する（Ｓ１００）。次に、記録媒体再生装置１は、記録媒体再生装置２から接続要求があると（Ｓ１０１；Ｙｅｓ）、サーバ３にアクセスしてＩＰリスト３００を受信する（Ｓ１０２）。次に、記録媒体再生装置１は、記録媒体再生装置２のＩＰアドレスとＩＰリスト３００に含まれるＩＰアドレスを確認し、同一のものがある場合（Ｓ１０３；Ｙｅｓ）、記録媒体再生装置２と接続を開始する（Ｓ１０４）。
【００３２】
次に、記録媒体再生装置１は、記録媒体再生装置２にアクセスし、メモリキー５内のディスク再生情報５０１を取得する（Ｓ１０５）。ディスク再生情報５０１が、記録媒体４のディスク再生情報４０１と一致する場合、つまりＭＫＢファイルが同一の場合（Ｓ１０６；Ｙｅｓ）、記録媒体再生装置２からコンテンツ情報４００の転送要求があれば（Ｓ１０７；Ｙｅｓ）、転送を開始する（Ｓ１０８）。記録媒体再生装置１は、記録媒体再生装置２から接続停止の要求を受けた場合（Ｓ１０９；Ｙｅｓ）、接続を停止する（Ｓ１１０）。
【００３３】
図６は、本発明の第１の実施の形態に関する記録媒体再生装置の動作を示すフローチャートである。
【００３４】
図６は、図１における記録媒体再生装置２の動作を示す。まず、記録媒体再生装置２に、メモリキー５を接続する（Ｓ２００）。次に、記録媒体再生装置２の認証部２７０が、メモリキー５からＩＰリスト５００を取得する（Ｓ２０１）。ＩＰリスト５００に記載されるＩＰアドレスから、例えば記録媒体再生装置１のＩＰアドレスを選択して接続を要求する（Ｓ２０２）。
【００３５】
記録媒体再生装置１が接続を認証した場合（Ｓ２０３；Ｙｅｓ）、接続を開始する（Ｓ２０４）。次に、記録媒体再生装置２は、メモリキー５のディスク再生情報５０１を、記録媒体再生装置１へと送信する（Ｓ２０５）。ディスク再生情報５０１が記録媒体再生装置１において認証され、ユーザーの判断でコンテンツ情報４００を受信する場合（Ｓ２０６；Ｙｅｓ）、記録媒体再生装置２は、コンテンツ情報４００を受信する（Ｓ２０７）。
【００３６】
次に、コンテンツ情報４００を再生表示する場合（Ｓ２０８；Ｙｅｓ）、記録媒体再生装置２は、モニタ２Ａに表示を開始する（Ｓ２０９）。次に、再生中のコンテンツ情報４００の表示を停止する場合（Ｓ２１０；Ｙｅｓ）、記録媒体再生装置２は、モニタ２Ａの表示を停止する（Ｓ２１１）。
【００３７】
次に、記録媒体再生装置１との接続を停止する場合（Ｓ２１２；Ｙｅｓ）、記録媒体再生装置２は、接続を停止する（Ｓ２１３）。
【００３８】
（第１の実施の形態の効果）
上記した本発明の第１の実施の形態によると、ＩＰリスト５００およびＩＰリスト３００により記録媒体再生装置１および記録媒体再生装置２間の認証をして、ディスク情報５０１およびディスク情報４０１により記録媒体４の再生に関する認証をしたため、記録媒体４を装着していない機器である記録媒体再生装置２においても、コンテンツを視聴可能な記録媒体再生装置を限定してコンテンツ情報４００の再生が可能となる。
【００３９】
なお、記録媒体再生装置２は、記録媒体読取部２４を省いた構成としても、同様の効果が得られる。また、ＩＰリスト３００は、記録媒体再生装置１の記憶部１５に保有する構成としてもよい。また、記録媒体再生装置は２台に限定されず、複数台がネットワーク１０００に接続されているものとしてもよい。
【００４０】
なお、ディスク関連情報３０１は、コンテンツ情報４００Ａの要求によりサーバ３から記録媒体再生装置１が受信するが、認証を得た記録媒体再生装置２であれば、サーバ３より直接ディスク関連情報３０１を受信できるようにしてもよい。
【００４１】
なお、メモリキー５は、例えばＵＳＢ接続形式のものを使用したが、他の接続形式を使用してもよい。また、メモリを使用せず、ネットワーク上でパスワード等を用いて認証を行うようにしてもよい。
【００４２】
〔第２の実施の形態〕
（ネットワークの構成）
図７は、本発明の第２の実施の形態に関する記録媒体再生装置を含むネットワークの構成を示す概略図である。なお、以下の説明において、第１の実施の形態と同一の構成および機能を有する部分については共通の符号を付している。
【００４３】
記録媒体再生装置１は、ネットワーク１０００に接続され、ネットワーク１０００を介して記録媒体再生装置１と同様の構成および機能を有する記録媒体再生装置２と、記録媒体４Ａおよび記録媒体４Ｂの再生情報に関連したディスク関連情報３０１とを記憶部に保有するサーバ３とに接続されている。
【００４４】
記録媒体再生装置１は、再生した音声情報の付随情報や動画情報を表示出力するモニタ１Ａと、記録媒体４Ａとメモリキー５Ａを装着している。記録媒体４Ａは、コンテンツ情報４００Ａと、コンテンツ情報４００Ａを再生するための解読情報であるディスク再生情報４０１Ａとを有する。メモリキー５Ａは、記録媒体再生装置１が接続可能な機器のＩＰアドレスが記載されたＩＰリスト５００Ａと、記録媒体の情報を再生するための解読情報であるディスク再生情報５０１Ａとを有する。
【００４５】
記録媒体再生装置２は、記録媒体再生装置２と同様の構成および機能を有しており、再生した音声情報の付随情報や動画情報を表示出力するモニタ２Ａと、記録媒体４Ｂとメモリキー５Ｂを装着している。記録媒体４Ｂは、コンテンツ情報４００Ｂと、コンテンツ情報４００Ｂを再生するための解読情報であるディスク再生情報４０１Ｂとを有する。メモリキー５Ｂは、記録媒体再生装置２が接続可能な機器のＩＰアドレスが記載されたＩＰリスト５００Ｂと、記録媒体の情報を再生するための解読情報であるディスク再生情報５０１Ｂとを有する。
【００４６】
サーバ３は、記憶部としてのＨＤＤにディスク関連情報３０１を保有する。ディスク関連情報３０１は、記録媒体４Ａまたは記録媒体４Ｂのコンテンツ情報４００Ａまたはコンテンツ情報４００Ｂの要求に応じて記録媒体再生装置１または記録媒体再生装置２に送信される。
【００４７】
（第２の実施の形態の動作）
図８は、本発明の第２の実施の形態に関する記録媒体再生装置の動作を示すフローチャートである。
【００４８】
図８は、図７における記録媒体再生装置１または記録媒体再生装置２の動作を示す。以下では、代表して記録媒体再生装置１の動作として記述するが、記録媒体再生装置２に関しても同様に動作する。
【００４９】
まず、記録媒体再生装置１に、記録媒体４ＡとしてのＨＤ  ＤＶＤを挿入する（Ｓ３００）。次に、記録媒体再生装置１に、メモリキー５Ａを接続する（Ｓ３０１）。次に、記録媒体再生装置１の認証部１７０が、メモリキー５ＡからＩＰリスト５００Ａを取得する（Ｓ３０２）。次に、ＩＰリスト５００Ａに記載されるＩＰアドレスから、例えば記録媒体再生装置２のＩＰアドレスを選択して接続を要求する（Ｓ３０３）。
【００５０】
記録媒体再生装置２のメモリキー５ＢのＩＰリスト５００Ｂに記録媒体再生装置１のＩＰアドレスがある場合は、接続可能であり（Ｓ３０４；Ｙｅｓ）、ユーザが接続を希望する場合（Ｓ３０５；Ｙｅｓ）は、記録媒体再生装置２と接続を開始する（Ｓ３０８）。次に、図９（ａ）に示すＡへと進む。また、ユーザが接続を希望しない場合（Ｓ３０５；Ｎｏ）で、記録媒体再生装置２より接続要求がある場合（Ｓ３０６；Ｙｅｓ）は、記録媒体再生装置２と接続を開始する（Ｓ３０７）。次に図９（ｂ）に示すＢへと進む。
【００５１】
図９（ａ）および（ｂ）は、本発明の第２の実施の形態に関する記録媒体再生装置の動作を示すフローチャートである。
【００５２】
まず、図９（ａ）に示すように、記録媒体再生装置１は、記録媒体再生装置２にアクセスし、メモリキー５Ｂ内のディスク再生情報５０１Ｂを取得する（Ｓ４００）。ディスク再生情報５０１Ｂが、記録媒体４Ａのディスク再生情報４０１Ａと一致する場合、つまりＭＫＢファイルが同一の場合（Ｓ４０１；Ｙｅｓ）、記録媒体再生装置２からコンテンツ情報４００Ａの転送要求があれば（Ｓ４０２；Ｙｅｓ）、転送を開始する（Ｓ４０３）。記録媒体再生装置１は、記録媒体再生装置２から接続停止の要求を受けた場合（Ｓ４０４；Ｙｅｓ）、接続を停止する（Ｓ４０５）。
【００５３】
次に、図９（ｂ）に示すように、記録媒体再生装置１は、メモリキー５Ａのディスク再生情報５０１Ａを、記録媒体再生装置２へと送信する（Ｓ５００）。ディスク再生情報５０１Ａが記録媒体再生装置２において認証され、ユーザーの判断でコンテンツ情報４００Ｂを受信する場合（Ｓ５０１；Ｙｅｓ）、記録媒体再生装置１は、コンテンツ情報４００Ｂを受信する（Ｓ５０２）。
【００５４】
次に、コンテンツ情報４００Ｂを再生表示する場合（Ｓ５０３；Ｙｅｓ）、記録媒体再生装置１は、モニタ１Ａに表示を開始する（Ｓ５０４）。次に、再生中のコンテンツ情報４００Ｂの表示を停止する場合（Ｓ５０５；Ｙｅｓ）、記録媒体再生装置１は、モニタ１Ａの表示を停止する（Ｓ５０６）。
【００５５】
次に、記録媒体再生装置２との接続を停止する場合（Ｓ５０７；Ｙｅｓ）、記録媒体再生装置１は、接続を停止する（Ｓ５０８）。
【００５６】
（第２の実施の形態の効果）
上記した本発明の第２の実施の形態によると、ＩＰリスト５００ＡおよびＩＰリスト５００Ｂにより記録媒体再生装置１および記録媒体再生装置２間の認証をして、ディスク情報４０１Ａおよびディスク情報５０１Ｂ、またはディスク情報４０１Ｂおよびディスク情報５０１Ａにより記録媒体４Ａまたは記録媒体４Ｂの再生に関する認証をしたため、記録媒体４を装着していない機器である記録媒体再生装置２においても、再生先の限定されたコンテンツ情報４００の再生が可能となる。
【００５７】
また、各記録媒体再生装置に接続されたメモリキー内に保有したＩＰリストを認証に使用しているため、認証作業にサーバ３が不要となる。
【図面の簡単な説明】
【００５８】
【図１】本発明の第１の実施の形態に関する記録媒体再生装置を含むネットワークの構成を示す概略図である。
【図２】（ａ）および（ｂ）は、本発明の第１の実施の形態に関する記録媒体再生装置の構成を示すブロック図である。
【図３】本発明の第１の実施の形態に関するサーバの構成を示すブロック図である。
【図４】（ａ）および（ｂ）は、本発明の第１の実施の形態に関するメモリキーおよびサーバが有するＩＰリストの具体例を示す概略図である。
【図５】本発明の第１の実施の形態に関する記録媒体再生装置の動作を示すフローチャートである。
【図６】本発明の第１の実施の形態に関する記録媒体再生装置の動作を示すフローチャートである。
【図７】本発明の第２の実施の形態に関する記録媒体再生装置を含むネットワークの構成を示す概略図である。
【図８】本発明の第２の実施の形態に関する記録媒体再生装置の動作を示すフローチャートである。
【図９】（ａ）および（ｂ）は、本発明の第２の実施の形態に関する記録媒体再生装置の動作を示すフローチャートである。
【符号の説明】
【００５９】
１…記録媒体再生装置、１Ａ…モニタ、２…記録媒体再生装置、２Ａ…モニタ、３…サーバ、４…記録媒体、４Ａ…記録媒体、４Ｂ…記録媒体、５…メモリキー、５Ａ…メモリキー、５Ｂ…メモリキー、１０…通信部、１１…音声出力部、１２…表示出力部、１３…入力部、１４…記録媒体読取部、１５…記憶部、１６…メモリ、１７…制御部、１８…バス、２０…通信部、２１…音声出力部、２２…表示出力部、２３…入力部、２４…記録媒体読取部、２５…記憶部、２６…メモリ、２７…制御部、２８…バス、３０…通信部、３１…入力部、３２…記憶部、３３…メモリ、３４…制御部、３５…バス、１７０…認証部、２７０…認証部、３００…ＩＰリスト、３０１…ディスク関連情報、４００…コンテンツ情報、４００Ａ…コンテンツ情報、４００Ｂ…コンテンツ情報、４０１…ディスク再生情報、４０１Ａ…ディスク再生情報、４０１Ｂ…ディスク再生情報、５００…ＩＰリスト、５００Ａ…ＩＰリスト、５００Ｂ…ＩＰリスト、５０１…ディスク再生情報、５０１Ａ…ディスク再生情報、５０１Ｂ…ディスク再生情報、１０００…ネットワーク
【図１】
2008134768.tif 000003
【図２】
2008134768.tif 000004
【図３】
2008134768.tif 000005
【図４】
2008134768.tif 000006
【図５】
2008134768.tif 000007
【図６】
2008134768.tif 000008
【図７】
2008134768.tif 000009
【図８】
2008134768.tif 000010
【図９】
2008134768.tif 000011